(57)【要約】【課題】非接触で媒体の重なり順番を検知することが可能な順番検知装置及び媒体システムを提供する。【解決手段】この媒体システム１は、フォトセンサ２１、およびフォトセンサ２１が測定光を受光したとき、測定光を受光したか否かを示す受光情報および自己の識別情報を電波により送信するＲＦＩＤタグ２２を有する複数の画像表示媒体２と、複数の画像表示媒体２が重ねて配置される媒体配置部３と、画像表示媒体２の重なり方向に沿って設けられた複数の位置から媒体配置部３に配置された複数の画像表示媒体２に向けて測定光３１ａを発する複数のＬＥＤ３１と、画像表示媒体２のＲＦＩＤタグ２２から受光情報および識別情報を電波により受信するＲＦＩＤリーダと、ＲＦＩＤリーダによって受信された受光情報および識別情報に基づいて、媒体配置部３に配置された複数の画像表示媒体２の重なり順番を演算する演算部としてのサーバ４とを備える。【選択図】図１
2008275685.tif 000002
【特許請求の範囲】
【請求項１】
複数の媒体が重ねて配置される媒体配置部と、
前記媒体の重なり方向に沿って設けられた複数の位置から前記媒体配置部に配置された前記複数の媒体に向けて測定光を出力する測定光出力部と、
前記媒体配置部に配置された前記複数の媒体から前記測定光を受光したか否かを示す受光情報および前記媒体の識別情報を電波により受信する無線受信部と、
前記無線受信部によって受信された前記受光情報および前記識別情報に基づいて、前記媒体配置部に配置された前記複数の媒体の重なり順番を演算する演算部とを備えた媒体順番検知装置。
【請求項２】
前記測定光出力部は、前記媒体配置部の前記複数の位置に配置され、前記測定光を発する複数の発光素子を備えた請求項１に記載の媒体順番検知装置。
【請求項３】
前記複数の発光素子の配列ピッチは、前記媒体配置部に重ねられて配置された前記複数の媒体の配列ピッチよりも小さく設定された請求項２に記載の媒体順番検知装置。
【請求項４】
前記測定光出力部は、前記複数の発光素子を順次駆動する駆動部を備え、
前記無線受信部は、前記駆動部による前記発光素子の駆動タイミングに同期して前記受光情報および前記識別情報を受信する請求項２に記載の媒体順番検知装置。
【請求項５】
前記複数の発光素子は、前記測定光の発光側にそれぞれ集光レンズを備えた請求項２に記載の媒体順番検知装置。
【請求項６】
前記複数の発光素子の配列ピッチは、前記媒体配置部に重ねて配置された前記複数の媒体の配列ピッチに等しく設定され、
前記複数の発光素子は、前記発光素子間を仕切る仕切り部材を備えた請求項２に記載の媒体順番検知装置。
【請求項７】
測定光を受光する受光素子、および前記受光素子が前記測定光を受光したとき、前記測定光を受光したか否かを示す受光情報および自己の識別情報を電波により送信する無線送信部を有する複数の媒体と、
前記複数の媒体が重ねて配置される媒体配置部と、
前記媒体の重なり方向に沿って設けられた複数の位置から前記媒体配置部に配置された前記複数の媒体に向けて前記測定光を出力する測定光出力部と、
前記媒体配置部に配置された前記複数の媒体の前記無線送信部から前記受光情報および前記識別情報を電波により受信する無線受信部と、
前記無線受信部によって受信された前記受光情報および前記識別情報に基づいて、前記媒体配置部に配置された前記複数の媒体の重なり順番を演算する演算部とを備えた媒体システム。
【請求項８】
前記媒体は、書換え可能な表示画像を無電源で保持可能な画像表示媒体である請求項７に記載の媒体システム。
【請求項９】
前記受光素子は、筒部内に前記筒部の先端よりも後方に配置された請求項７に記載の媒体システム。
【発明の詳細な説明】
【技術分野】
【０００１】
本発明は、媒体順番検知装置及び媒体システムに関する。
【背景技術】
【０００２】
近年、書換え可能な表示画像を無電源で保持可能な画像表示媒体（「電子ペーパ」ともいう。）が注目されている。
【０００３】
従来、上記のような電子ペーパを束ねた電子ペーパファイルが提案されている（例えば、特許文献１参照）。
【０００４】
この電子ペーパファイルは、基板と、基板の長手方向に沿って設けられた複数の可動軸片と、各可動軸片に設けられた接続端子と、可動軸片の接続端子に着脱可能な接続端子を有する複数の電子ペーパと、可動軸片の内部に設けたフォトカプラにより電子ペーパの接続を検知する着脱検知手段とを備えて構成されている。
【特許文献１】特開平２００３−２２２５７号公報
【発明の開示】
【発明が解決しようとする課題】
【０００５】
本発明の目的は、非接触で媒体の重なり順番を検知することが可能な順番検知装置及び媒体システムを提供することにある。
【課題を解決するための手段】
【０００６】
本発明の一態様は、上記目的を達成するため、以下の媒体順番検知装置及び媒体システムを提供する。
【０００７】
［１］複数の媒体が重ねて配置される媒体配置部と、前記媒体の重なり方向に沿って設けられた複数の位置から前記媒体配置部に配置された前記複数の媒体に向けて測定光を出力する測定光出力部と、前記媒体配置部に配置された前記複数の媒体から前記測定光を受光したか否かを示す受光情報および前記媒体の識別情報を電波により受信する無線受信部と、前記無線受信部によって受信された前記受光情報および前記識別情報に基づいて、前記媒体配置部に配置された前記複数の媒体の重なり順番を演算する演算部とを備えた媒体順番検知装置。
【０００８】
［２］前記測定光出力部は、前記媒体配置部の前記複数の位置に配置され、前記測定光を発する複数の発光素子を備えた前記［１］に記載の媒体順番検知装置。
【０００９】
［３］前記複数の発光素子の配列ピッチは、前記媒体配置部に重ねられて配置された前記複数の媒体の配列ピッチよりも小さく設定された前記［２］に記載の媒体順番検知装置。
【００１０】
［４］前記測定光出力部は、前記複数の発光素子を順次駆動する駆動部を備え、前記無線受信部は、前記駆動部による前記発光素子の駆動タイミングに同期して前記受光情報および前記識別情報を受信する前記［２］に記載の媒体順番検知装置。
【００１１】
［５］前記複数の発光素子は、前記測定光の発光側にそれぞれ集光レンズを備えた前記［２］に記載の媒体順番検知装置。
【００１２】
［６］前記複数の発光素子の配列ピッチは、前記媒体配置部に重ねて配置された前記複数の媒体の配列ピッチに等しく設定され、前記複数の発光素子は、前記発光素子間を仕切る仕切り部材を備えた前記［２］に記載の媒体順番検知装置。
【００１３】
［７］測定光を受光する受光素子、および前記受光素子が前記測定光を受光したとき、前記測定光を受光したか否かを示す受光情報および自己の識別情報を電波により送信する無線送信部を有する複数の媒体と、前記複数の媒体が重ねて配置される媒体配置部と、前記媒体の重なり方向に沿って設けられた複数の位置から前記媒体配置部に配置された前記複数の媒体に向けて前記測定光を出力する測定光出力部と、前記媒体配置部に配置された前記複数の媒体の前記無線送信部から前記受光情報および前記識別情報を電波により受信する無線受信部と、前記無線受信部によって受信された前記受光情報および前記識別情報に基づいて、前記媒体配置部に配置された前記複数の媒体の重なり順番を演算する演算部とを備えた媒体システム。
【００１４】
［８］前記媒体は、書換え可能な表示画像を無電源で保持可能な画像表示媒体である前記［７］に記載の媒体システム。
【００１５】
［９］前記受光素子は、筒部内に前記筒部の先端よりも後方に配置された前記［７］に記載の媒体システム。
【発明の効果】
【００１６】
請求項１に係る媒体順番検知装置によれば、非接触で媒体の重なり順番を検知することが可能になる。
【００１７】
請求項２に係る媒体順番検知装置によれば、連続した光源と比較して測定回数を少なくすることができる。
【００１８】
請求項３に係る媒体順番検知装置によれば、発光素子の指向性が低くても、媒体の重なり順番を検知することができる。
【００１９】
請求項４に係る媒体順番検知装置によれば、発光素子を同時に駆動する場合と比較して媒体の重なり順番を高精度に検知することができる。
【００２０】
請求項５に係る媒体順番検知装置によれば、発光素子の指向性が高くなり、集光レンズを用いない場合と比較して媒体の重なり順番を高精度に検知することができる。
【００２１】
請求項６に係る媒体順番検知装置によれば、発光素子の指向性が高くなり、仕切り部材を用いない場合と比較して媒体の重なり順番を高精度に検知することができる。
【００２２】
請求項７に係る媒体システムによれば、非接触で媒体の重なり順番を検知することが可能になる。
【００２３】
請求項８に係る媒体システムによれば、画像表示媒体の重なり順番が分かることで、書き換える画像の画像表示媒体を検知することができる。
【００２４】
請求項９に係る媒体システムによれば、受光素子の指向性が高くなり、筒部を用いない場合と比較して媒体の重なり順番を高精度に検知することができる。
【発明を実施するための最良の形態】
【００２５】
［第１の実施の形態］
図１は、本発明の第１の実施の形態に係る媒体システムの概略の構成を示す図である。この媒体システム１は、複数の画像表示媒体２が重ねて配置される媒体配置部３と、媒体配置部３に重ねて配置された複数の画像表示媒体２の重なり順番を演算するサーバ４とを備えて構成されている。
【００２６】
（画像表示媒体）
画像表示媒体２は、書換え可能な表示画像を無電源で保持可能であって、薄型矩形状の形態性とフレキシブル性を有する。このような画像表示媒体２として、本実施の形態では、例えば、電圧の印加と画像光の照射によって画像が書き込まれる光書込み型電子ペーパを用いる。
【００２７】
この光書込み型電子ペーパの画像表示媒体２は、裏面２ｂに、電圧が印加される一対の受電端子２０６Ａ，２０６Ｂと、画像光が照射されて画像が書き込まれる書込み領域２ｃとが設けられ、端部に、測定光３１ａを受光するフォトダイオード等のフォトセンサ（受光素子）２１が設けられ、フォトサンサ２１の近傍に、質問波に応じて応答波を送信するＲＦＩＤタグ（無線送信部）２２が設けられている。なお、画像表示媒体２の層構成、およびＲＦＩＤタグ２２の内部構成については後述する。
【００２８】
（媒体配置部）
媒体配置部３は、所定数の画像表示媒体２が重ねた状態で配置される開口３０ａを有する断面コ字状のコ字状部材３０を備える。コ字状部材３０は、電波を遮断しない材料、例えば、ポリカードネート等の樹脂からなる。
【００２９】
図２は、媒体配置部３の内部の概略の構成を示す図である。媒体配置部３は、上記のコ字状部材３０と、コ字状部材３０の内側の底面３０ｂに配列された複数（例えば２４個）のＬＥＤ（発光素子）３１−１〜３１―２４と、各ＬＥＤ３１を順次駆動するＬＥＤ駆動部３２と、ＲＦＩＤタグ２２と電波により通信するＲＦＩＤリーダ（無線受信部）３３と、対向して配置された発光器３４Ａおよび受光器３４Ｂを用いて画像表示媒体２の開口３０ａへの挿入を検出する挿入検出回路３５と、ＬＥＤ駆動部３２およびＲＦＩＤリーダ３３を制御する制御部３６とを備える。なお、複数のＬＥＤ３１−１〜３１―２４とＬＥＤ駆動部３２は、測定光出力部を構成する。
【００３０】
コ字状部材３０の開口３０ａの幅は、例えば厚さ１ｍｍの所定数（例えば８枚）の画像表示媒体２がスムーズに挿入できるサイズ、例えば８．５ｍｍを有する。
【００３１】
ＬＥＤ３１（３１−１〜３１―２４）は、画像表示媒体２の重なり方向に沿ってコ字状部材３０の内側の底面３０ｂに配列され、媒体配置部３に配置された各画像表示媒体２に向けて測定光３１ａを発光するものである。また、ＬＥＤ３１の配列ピッチは、画像表示媒体２の配列ピッチよりも小さく設定されている。
【００３２】
（画像表示媒体）
図３（ａ），（ｂ）は、それぞれタイプの異なる画像表示媒体の層構成を模式的に表わした図１のＡ−Ａ線断面図である。
【００３３】
図３（ａ）に示す画像表示媒体２は、対向配置されたＰＥＴ（ポリエチレンテレフタレート）フィルムからなる透明の第１および第２の基板２００Ａ，２００Ｂと、第１および第２の基板２００Ａ，２００Ｂの内側に形成されたＩＴＯ（インジウム錫酸化物）からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４と、第１の電極２０１Ａに接続された受電端子２０６Ａと、第２の電極２０１Ｂに延在部２０７を介して接続された受電端子２０６Ｂとを備える。
【００３４】
光導電層２０３は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、画像表示媒体２の高寿命化を実現することができる。このように構成された画像表示媒体２は、裏面２ｂの書込み領域２ｃから画像光１１２を照射し、表面２ａ側に画像を表示することができる。
【００３５】
図３（ｂ）に示す画像表示媒体２は、図３（ａ）に示した画像表示媒体２において、光吸収層２０４を第２の電極２０１Ｂの内側に配設し、液晶層２０２と光導電層２０３の間に隔離層２０５を追加したものであり、その他の構成は図３（ａ）と同様である。この場合は、裏面２ｂ側から画像光１１２を照射し、裏面２ｂ側に画像を表示することができる。
【００３６】
図４は、ＲＦＩＤタグ２２のブロック図である。このＲＦＩＤタグ２２は、電池を内蔵しないパッシブタイプであり、ＲＦＩＤリーダ３３との間で電波により信号を送受信するアンテナ２２０と、ＲＦＩＤリーダ３３から送信された質問波を変調してリクエストコマンドを抽出する受信部２２１と、自己の媒体ＩＤ（識別情報）、フォトセンサＯＮ／ＯＦＦ情報等の応答データを記憶する記憶部２２４と、応答データで搬送波を変調し、それを応答波としてアンテナ２２０を介してＲＦＩＤリーダ３３に送信する送信部２２２と、受信部２２１が質問波から抽出したリクエストコマンドに従って動作し、応答データを記憶部２２４から読み出して送信部２２２に出力する制御部２２３と、アンテナ２２０に誘導された交流電圧を直流電圧に整流して電力を生成し、それをＲＦＩＤタグ２２の各部に供給する電力生成部２２５とを備える。
【００３７】
記憶部２２４には、フォトセンサ２１が受光できたか否かのフォトセンサＯＮ／ＯＦＦ情報を書き込むためのフォトセンサＯＮ／ＯＦＦビットを設けている。フォトセンサＯＮ／ＯＦＦビットには、初期設定のフォトセンサＯＮ／ＯＦＦ情報としてフォトセンサＯＦＦを示す「０」が書き込まれており、フォトセンサ２１が受光できたときに、フォトセンサＯＮ／ＯＦＦ情報として「１」が上書きされる。また、記憶部２２４には、媒体ＩＤが予め記憶されている。
【００３８】
図５は、サーバ４の概略の構成を示すブロック図である。サーバ４は、ＲＦＩＤリーダ３３と通信を行う通信部４０と、通信部４０によって受信された情報を記憶部４２に記憶する制御部４１と、制御部４１の制御により画像表示媒体２の重なり順番を演算する媒体順番演算部４３とを備える。
【００３９】
（第１の実施の形態の動作）
次に、第１の実施の形態の動作を図６、図７を参照し、図８のフローチャートに従って説明する。図６は、複数の画像表示媒体２を媒体配置部３の開口３０ａに挿入する様子を示す図である。
【００４０】
ユーザが、図６に示すように、例えば、８枚の画像表示媒体２を重ねた状態で媒体配置部３のコ字状部材３０の開口３０ａに挿入すると、発光器３４Ａから出射している光が受光器３４Ｂに到達しないため、挿入検出回路３５は、遮光されたことを示す検出信号を媒体配置部３の制御部３６に送る。
【００４１】
制御部３６は、挿入検出回路３５から検出信号を受けると、Ｎに１をセットする初期設定を行い（ＳＴ１）、ＬＥＤ駆動部３２からＮ（ここでは１）番目のＬＥＤ３１−１に駆動信号３２ａを出力させるとともに、通信開始信号３６ａをＲＦＩＤリーダ３３に出力する（ＳＴ２）。
【００４２】
１番目のＬＥＤ３１−１は、ＬＥＤ駆動部３２からの駆動信号３２ａにより測定光３１ａを発する。１番目のＬＥＤ３１−１側に配置された１枚目の画像表示媒体２のフォトセンサ２１は、１番目のＬＥＤ３１−１が発せられた測定光３１ａを受光し、その光を電気信号に変換してＲＦＩＤタグ２２の制御部２２３に送る。制御部２２３は、記憶部２２４のフォトセンサＯＮ／ＯＦＦビットに「１」を書き込む（ＳＴ３）。
【００４３】
ＲＦＩＤリーダ３３は、制御部３６から通信開始信号３６ａを受信すると、質問波をＲＦＩＤタグ２２に向けて送信する。各画像表示媒体２のＲＦＩＤタグ２２の受信部２２１が、アンテナ２２０を介して質問波を受信すると、制御部２２３は、記憶部２２４から応答データの媒体ＩＤおよびフォトセンサＯＮ／ＯＦＦ情報を読み出し、送信部２２２に出力するとともに、記憶部２２４のフォトセンサＯＮ／ＯＦＦビットを「０」に戻す。送信部２２２は、媒体ＩＤおよびフォトセンサＯＮ／ＯＦＦ情報を変調し、それを応答波としてアンテナ２２０を介してＲＦＩＤリーダ３３に送信する。
【００４４】
ＲＦＩＤリーダ３３は、各画像表示媒体２のＲＦＩＤタグ２２から応答波を受信すると、その応答波から媒体ＩＤおよびフォトセンサＯＮ／ＯＦＦ情報を抽出してサーバ４に送信する（ＳＴ４）。このとき、１枚目の画像表示媒体２から送信されたフォトセンサＯＮ／ＯＦＦ情報のみがフォトセンサＯＮを示している。
【００４５】
制御部３６は、Ｎが媒体配置部３の開口３０ａに配置し得る最大枚数（Ｎｍａｘ）に達したか否かを確認する（ＳＴ６）。ＮがＮｍａｘに達していなければ（ＳＴ６：Ｎｏ）、ＮにＮ＋１をセットし（ＳＴ５）、ＬＥＤ駆動部３２からＮ（ここでは２）番目のＬＥＤ３１−２に駆動信号３２ａを出力させるとともに、通信開始信号３６ａをＲＦＩＤリーダ３３に出力する（ＳＴ２）。
【００４６】
２番目のＬＥＤ３１−２は、ＬＥＤ駆動部３２からの駆動信号３２ａにより測定光３１ａを発する。本実施の形態では、測定光３１ａを発するＬＥＤ３１が２番目でも１枚目の画像表示媒体２のフォトセンサ２１が測定光３１ａを受光する。１枚目の画像表示媒体２のフォトセンサ２１は、その光を電気信号に変換してＲＦＩＤタグ２２の制御部２２３に送る。制御部２２３は、記憶部２２４のフォトセンサＯＮ／ＯＦＦビットに「１」を書き込む（ＳＴ３）。
【００４７】
ＲＦＩＤリーダ３３は、制御部３６から通信開始信号３６ａを受信すると、質問波をＲＦＩＤタグ２２に向けて送信する。各画像表示媒体２のＲＦＩＤタグ２２の受信部２２１が、アンテナ２２０を介して質問波を受信すると、上述したように、記憶部２２４から媒体ＩＤおよびフォトセンサＯＮ／ＯＦＦ情報を読み出し、応答波としてＲＦＩＤリーダ３３に送信する。
【００４８】
ＲＦＩＤリーダ３３は、応答波を受信すると、その応答波から媒体ＩＤおよびフォトセンサＯＮ／ＯＦＦ情報を抽出してサーバ４に送信する（ＳＴ４）。このとき、１枚目の画像表示媒体２から送信されたフォトセンサＯＮ／ＯＦＦ情報のみがフォトセンサＯＮを示している。
【００４９】
Ｎが媒体配置部３の開口３０ａに配置し得る最大枚数（Ｎｍａｘ）に達したか否かを確認する（ＳＴ６）。ＮがＮｍａｘに達していなければ（ＳＴ６：Ｎｏ）、上述したステップＳＴ２〜ＳＴ５をＮがＮｍａｘに達するまで繰り返す。
【００５０】
ＮがＮｍａｘに達し（ＳＴ６：Ｙｅｓ）、サーバ４の制御部４１は予め設定された回数（Ｎｍａｘ）のフォトセンサＯＮ／ＯＦＦ情報を受信すると、媒体順番演算部４３は、媒体順番の演算を行う（ＳＴ７）。
【００５１】
図７は、サーバ４の記憶部４２に記憶されているデータから媒体順番演算部４３が必要なデータを抽出したものである。なお、同図中、ＥＰ０３、ＥＰ０５、ＥＰ０１、ＥＰ０４、・・・は、媒体ＩＤを示す。また、同図は、一つの画像表示媒体２のフォトセンサ２１は、それぞれ３回ずつ測定光を受光している場合を示す。図７に示すように、受信回数に応じてフォトセンサＯＮ／ＯＦＦ情報がフォトセンサＯＮであった媒体ＩＤが抽出されている。媒体順番演算部４３は、フォトセンサＯＮが例えば所定の回数（例えば２回）連続した媒体ＩＤに対して順次重なり順番を付与する。同図の場合は、媒体ＩＤ、ＥＰ０３、ＥＰ０５、ＥＰ０１、・・・にそれぞれ重なり順番の１、２、３、・・・を付与している。
【００５２】
媒体順番演算部４３によって得られた重なり順番は、その後、例えば、重なり順番のうち選択された順番の画像表示媒体２の画像を書き換える等の画像表示媒体２に対する処理や管理等に利用される。
【００５３】
［第２の実施の形態］
図９は、本発明の第２の実施の形態に係る媒体配置部の概略の構成を示す図である。本実施の形態は、第１の実施の形態に対し、ＬＥＤ３１の発光側にＬＥＤ３１の指向性を高めるためにマイクロレンズ（集光レンズ）３７を配置したものであり、媒体配置部３の他の構成は、第１の実施の形態と同様である。
【００５４】
［第３の実施の形態］
図１０（ａ）は、本発明の第３の実施の形態に係る媒体配置部の概略の構成を示す図、図１０（ｂ）は、フォトセンサの拡大図である。本実施の形態は、第１の実施の形態に対し、ＬＥＤ３１の数を２４個から媒体配置部３の開口３０ａに配置される画像表示媒体２の数に対応させて８個とし、ＬＥＤ３１間にセパレータ（仕切り部材）３８を設け、画像表示媒体２のフォトセンサ２１を筒部２１ａ内に筒部２１ａの先端よりも後方に配置したものである。
【００５５】
［他の実施の形態］
なお、本発明は、上記各実施の形態に限定されず、本発明の趣旨を逸脱しない範囲内で種々な変形が可能である。また、本発明の趣旨を逸脱しない範囲内で各実施の形態間で構成要素を任意に組み合わせることができる。
【００５６】
例えば、上記各実施の形態では、重なり順番演算部をサーバに設けたが、画像表示媒体２に画像を書き込む書込装置に設けてもよい。
【００５７】
また、上記各実施の形態では、光書込型の画像表示媒体を例に挙げたが、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の画像表示媒体を用いてもよい。さらに、画像を表示する画像表示媒体の他に、画像を表示しないＩＣカード等の媒体であってもよい。
【図面の簡単な説明】
【００５８】
【図１】図１は、本発明の第１の実施の形態に係る媒体システムの概略の構成を示す図である。
【図２】図２は、媒体配置部の内部の概略の構成を示す図である。
【図３】図３（ａ），（ｂ）は、それぞれタイプの異なる画像表示媒体の層構成を模式的に表わした図１のＡ−Ａ線断面図である。
【図４】図４は、ＲＦＩＤタグのブロック図である。
【図５】図５は、サーバの概略の構成を示すブロック図である。
【図６】図６は、複数の画像表示媒体を媒体配置部の開口に挿入する様子を示す図である。
【図７】図７は、サーバの記憶部に記憶されているデータから媒体順番演算部が必要なデータを抽出したものである。
【図８】図８は、本発明の第１の実施の形態に媒体システムの動作を説明するためのフローチャートである。
【図９】図９は、本発明の第２の実施の形態に係る媒体配置部の概略の構成を示す図である。
【図１０】図１０（ａ）は、本発明の第３の実施の形態に係る媒体配置部の概略の構成を示す図、図１０（ｂ）は、フォトセンサの拡大図である。
【符号の説明】
【００５９】
１  媒体システム
２  画像表示媒体
２ａ  表面
２ｂ  裏面
２ｃ  書込み領域
３  媒体配置部
４  サーバ
２１  フォトサンサ
２１ａ  筒部
２２  ＲＦＩＤタグ
３０  コ字状部材
３０ａ  開口
３０ｂ  底面
３１  ＬＥＤ
３１ａ  測定光
３２  ＬＥＤ駆動部
３２ａ  駆動信号
３３  ＲＦＩＤタグリーダ
３４Ｂ  受光器
３４Ａ  発光器
３５  挿入検出回路
３６  制御部
３６ａ  通信開始信号
３７  マイクロレンズ
４０  通信部
４１  制御部
４２  記憶部
４３  媒体順番演算部
１１２  画像光
２００Ａ，２００Ｂ  基板
２０１Ａ，２０１Ｂ  電極
２０２  液晶層
２０２ａ  マイクロカプセル
２０３  光導電層
２０４  光吸収層
２０５  隔離層
２０６Ａ，２０６Ｂ  受電端子
２０７  延在部
２２０  アンテナ
２２１  受信部
２２２  送信部
２２３  制御部
２２４  記憶部
２２５  電力生成部
【図１】
2008275685.tif 000003
【図２】
2008275685.tif 000004
【図３】
2008275685.tif 000005
【図４】
2008275685.tif 000006
【図５】
2008275685.tif 000007
【図６】
2008275685.tif 000008
【図７】
2008275685.tif 000009
【図８】
2008275685.tif 000010
【図９】
2008275685.tif 000011
【図１０】
2008275685.tif 000012